(57)【要約】【課題】本発明は、低周波領域でコモンモード信号の減衰特性を抑制し、かつ高周波領域でコモンモード信号の減衰量を確保することができるコモンモードノイズフィルタを提供することを目的とするものである。【解決手段】本発明のコモンモードノイズフィルタは、第１のローパスフィルタ部１５と第２のローパスフィルタ部１６を、第１のコモンモードフィルタ１７、第２のコモンモードフィルタ１８と直列に接続し、また、第１のコモンモードフィルタ１７と第２のコモンモードフィルタ１８を積層方向に配置し、さらに、第１のコモンモードフィルタ１７と第２のコモンモードフィルタ１８との間に、積層方向に第１、第２のローパスフィルタ部１５、１６を配置しているものである。【選択図】図１
2014175825.tif 000002
【特許請求の範囲】
【請求項１】
積層体と、この積層体の内部に、第１〜第４のコイル導体と、前記第１のコイル導体と前記第２のコイル導体との間に接続された第１のローパスフィルタ部と、前記第３のコイル導体と前記第４のコイル導体との間に接続された第２のローパスフィルタ部を備え、前記第１のコイル導体と前記第３のコイル導体とを磁気結合させて第１のコモンモードフィルタを形成し、かつ前記第２のコイル導体と前記第４のコイル導体とを磁気結合させて第２のコモンモードフィルタを形成し、前記第１のローパスフィルタ部を第５のコイル導体と第１、第２の金属層とで構成するとともに、前記第２のローパスフィルタ部を第６のコイル導体と第２、第３の金属層とで構成し、前記第１のコイル導体と前記第２のコイル導体との間に前記第５のコイル導体を接続し、前記第３のコイル導体と前記第４のコイル導体との間に前記第６のコイル導体を接続し、さらに、前記第２の金属層と第１、第３の金属層とを積層方向に対向させ、前記第２の金属層をグランドに接続し、前記第１のコモンモードフィルタと第２のコモンモードフィルタとの間に、積層方向に前記第１、第２のローパスフィルタ部を配置したコモンモードノイズフィルタ。
【請求項２】
第１のコモンモードフィルタ、第２のコモンモードフィルタと第５のコイル導体、第６のコイル導体との間に、第１〜第３の金属層のうち少なくとも１つを配置した請求項１記載のコモンモードノイズフィルタ。
【請求項３】
第５のコイル導体と第６のコイル導体との間に第１〜第３の金属層のうち少なくとも１つを配置した請求項２記載のコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関するものである。
【背景技術】
【０００２】
従来のこの種のコモンモードノイズフィルタは、図１０に示すように、積層された複数の絶縁体層１ａ〜１ｆに形成された第１のコイル２と第２のコイル３とを有し、第１のコイル２、第２のコイル３は、それぞれ引出用導体４、５と接続され、また、最下面に設けられた絶縁体層１ａと最上面に設けられた絶縁体層１ｆは磁性材料で構成され、他の絶縁体層１ｂ〜１ｅは非磁性材料で構成されていた。そして、第１のコイル２と第２のコイル３とを磁気結合させてコモンモードノイズを除去するようにしていた。
【０００３】
なお、この出願の発明に関する先行技術文献情報としては、例えば、特許文献１が知られている。
【先行技術文献】
【特許文献】
【０００４】
【特許文献１】特開２００１−６０５１４号公報
【発明の概要】
【発明が解決しようとする課題】
【０００５】
近年、携帯電話やスマートフォンの高機能化、高解像化に伴い、高解像度の映像信号の出力方式として、従来のＨＤＭＩに代わり、新たにコネクタを設けずに、既存の端子（例えばＵＳＢ２．０端子）を利用して映像信号を伝送する新たな出力方式が提案されている。そのひとつが、ＭＨＬと呼ばれるものであり、クロック信号を低周波のコモンモード、高速なデータ信号をディファレンシャルモードで生成し、このクロック信号とデータ信号を同一の信号ライン（例えばＵＳＢ２．０ライン）に重畳させて伝送させている。したがって、低周波領域でコモンモード信号の減衰特性を抑制し、かつ高周波領域においては高いコモンモード減衰量を確保できるコモンモードノイズフィルタが要望されていた。
【０００６】
しかしながら、上記した従来のコモンモードノイズフィルタにおいては、コモンモードノイズ（同相ノイズ）が進入してきた場合に、インダクタ素子として働くため、低い周波数領域でコモンモード減衰量を抑制するように設定すれば、高い周波数領域のコモンモード減衰量を大きくすることができず、また、高い周波数領域のコモンモード減衰量を大きくなるように設定すれば、低い周波数領域でコモンモード減衰量が抑制されず、これにより、低周波領域でコモンモード信号の減衰特性を抑制し、かつ高周波領域でコモンモード信号（ノイズ）の減衰量を確保することができないという課題を有していた。
【０００７】
本発明は上記従来の課題を解決するもので、低周波領域でコモンモード信号の減衰特性を抑制し、かつ高周波領域でコモンモード信号の減衰量を確保することができる小型のコモンモードノイズフィルタを提供することを目的とするものである。
【課題を解決するための手段】
【０００８】
上記目的を達成するために本発明は、以下の構成を有するものである。
【０００９】
本発明の請求項１に記載の発明は、積層体と、この積層体の内部に、第１〜第４のコイル導体と、前記第１のコイル導体と前記第２のコイル導体との間に接続された第１のローパスフィルタ部と、前記第３のコイル導体と前記第４のコイル導体との間に接続された第２のローパスフィルタ部を備え、前記第１のコイル導体と前記第３のコイル導体とを磁気結合させて第１のコモンモードフィルタを形成し、かつ前記第２のコイル導体と前記第４のコイル導体とを磁気結合させて第２のコモンモードフィルタを形成し、前記第１のローパスフィルタ部を第５のコイル導体と第１、第２の金属層とで構成するとともに、前記第２のローパスフィルタ部を第６のコイル導体と第２、第３の金属層とで構成し、前記第１のコイル導体と前記第２のコイル導体との間に前記第５のコイル導体を接続し、前記第３のコイル導体と前記第４のコイル導体との間に前記第６のコイル導体を接続し、さらに、前記第２の金属層と第１、第３の金属層とを積層方向に対向させ、前記第２の金属層をグランドに接続し、前記第１のコモンモードフィルタと第２のコモンモードフィルタとの間に、積層方向に前記第１、第２のローパスフィルタ部を配置したもので、この構成によれば、第１のコモンモードフィルタと第１、第２のローパスフィルタ部と第２のコモンモードフィルタ部を直列接続しているため、第１、第２のローパスフィルタ部の位相調整をすることによって、その合成リアクタンスがコモンモードに対して直列共振をする周波数領域を調整でき、これにより、その低周波領域においてはコモンモードに対して低インピーダンスとなり、さらに、高周波領域においては、第１、第２のローパスフィルタ部が位相調整機能を有しているため、第１、第２のローパスフィルタ部と第２のコモンモードフィルタが容量性素子（Ｃ）として動作する周波数領域を調整でき、これにより、第１のコモンモードフィルタがインダクタ性素子（Ｌ）として動作するため、高周波領域ではコモンモードに対して、等価的に２段のＬＣフィルタのように動作し、これにより、急激なコモンモードの減衰特性が得られ、この結果、コモンモードに対して低周波領域においては低減衰で、高周波領域においては高減衰なフィルタ特性を実現でき、さらに、第１、第２のローパスフィルタ部における第１〜第３の金属層によって、第１のコモンモードフィルタと第２のコモンモードフィルタとが磁気結合するのを防ぐことができるため、この磁気結合によって位相調整をしている第１、第２のローパスフィルタ部を介さず第１のコモンモードフィルタと第２のコモンモードフィルタが磁気的に接続されてしまい、所望の効果がでないという不具合を解消でき、また、第１のコモンモードフィルタと第２のコモンモードフィルタを積層方向に配置しているため、小型化が可能になるという作用効果を有するものである。
【００１０】
本発明の請求項２に記載の発明は、特に、第１のコモンモードフィルタ、第２のコモンモードフィルタと第５のコイル導体、第６のコイル導体との間に、第１〜第３の金属層のうち少なくとも１つを配置したもので、この構成によれば、第１、第２のコモンモードフィルタと第５のコイル導体、第６のコイル導体との間で磁気結合するのを防ぐことができるため、第１、第２のローパスフィルタ部を第１、第２のコモンモードフィルタと独立して特性調整できるという作用効果を有するものである。
【００１１】
本発明の請求項３に記載の発明は、特に、第５のコイル導体と第６のコイル導体との間に第１〜第３の金属層のうち少なくとも１つを配置したもので、この構成によれば、第５のコイル導体と第６のコイル導体との間で磁気結合するのを防ぐことができるため、第５のコイル導体、第６のコイル導体が互いに影響を受けることなく、第５、第６のコイル導体のＬ値等の調整が可能となるという作用効果を有するものである。
【発明の効果】
【００１２】
以上のように本発明のコモンモードノイズフィルタは、第１のローパスフィルタ部と第２のローパスフィルタ部を、第１のコモンモードフィルタ、第２のコモンモードフィルタと直列に接続しているため、第１、第２のローパスフィルタ部の位相調整をすることによって、その合成リアクタンスがコモンモードに対して直列共振をする周波数領域を調整でき、これにより、その低周波領域においてはコモンモードに対して低インピーダンスとなり、さらに、高周波領域においては、第１、第２のローパスフィルタ部が位相調整機能を有しているため、第１、第２のローパスフィルタ部と第２のコモンモードフィルタが容量性素子（Ｃ）として動作する周波数領域を調整でき、これにより、第１のコモンモードフィルタがインダクタ性素子（Ｌ）として動作するため、高周波領域ではコモンモードに対して、等価的に２段のＬＣフィルタのように動作し、これにより、急激なコモンモードの減衰特性が得られ、この結果、コモンモードに対して低周波領域においては低減衰で、高周波領域においては高減衰なフィルタ特性を実現でき、さらに、第１、第２のローパスフィルタ部における第１〜第３の金属層によって、第１のコモンモードフィルタと第２のコモンモードフィルタとが磁気結合するのを防ぐことができるため、この磁気結合によって位相調整をしている第１、第２のローパスフィルタ部を介さず第１のコモンモードフィルタと第２のコモンモードフィルタが磁気的に接続されてしまい、所望の効果がでないという不具合を解消でき、また、第１のコモンモードフィルタと第２のコモンモードフィルタを積層方向に配置しているため、小型化が可能になるという優れた効果を奏するものである。
【図面の簡単な説明】
【００１３】
【図１】本発明の実施の形態１におけるコモンモードノイズフィルタの分解斜視図
【図２】同コモンモードノイズフィルタの斜視図
【図３】同コモンモードノイズフィルタの等価回路図
【図４】同コモンモードノイズフィルタの回路ブロック構成およびコモンモードフィルタ部の浮遊容量を示す模式図
【図５】同コモンモードノイズフィルタの回路ブロック構成のみを抽出したコモンモードインピーダンスと本発明のコモンモードフィルタ全体のリアクタンスの周波数特性を比較した図
【図６】同コモンモードノイズフィルタのコモンモード減衰特性を従来のコモンモードノイズフィルタのコモンモード減衰特性と比較した図
【図７】同コモンモードノイズフィルタと従来のコモンモードノイズフィルタを比較したコモンモードにおけるスミスチャート
【図８】本発明の実施の形態２におけるコモンモードノイズフィルタの分解斜視図
【図９】同コモンモードノイズフィルタの他の例の分解斜視図
【図１０】従来のコモンモードノイズフィルタの分解斜視図
【発明を実施するための形態】
【００１４】
（実施の形態１）
以下、実施の形態１を用いて、本発明の特に請求項１に記載の発明について説明する。
【００１５】
図１は本発明の実施の形態１におけるコモンモードノイズフィルタの分解斜視図、図２は同コモンモードノイズフィルタの斜視図、図３は同コモンモードノイズフィルタの等価回路図である。
【００１６】
本発明の実施の形態１におけるコモンモードノイズフィルタは、図１、図２に示すように、積層体１０の内部に、第１〜第４のコイル導体１１〜１４と、第１のコイル導体１１と第２のコイル導体１２との間に接続された第１のローパスフィルタ部１５と、第３のコイル導体１３と第４のコイル導体１４との間に接続された第２のローパスフィルタ部１６を備えたもので、さらに、第１のコイル導体１１と第３のコイル導体１３とを磁気結合させて第１のコモンモードフィルタ１７を形成し、かつ第２のコイル導体１２と第４のコイル導体１４とを磁気結合させて第２のコモンモードフィルタ１８を形成している。
【００１７】
また、第１のローパスフィルタ部１５を第５のコイル導体１９と第１、第２の金属層２０、２１とで構成するとともに、第２のローパスフィルタ部１６を第６のコイル導体２２と第２、第３の金属層２１、２３とで構成し、第１のコイル導体１１と第２のコイル導体１２との間に第５のコイル導体１９を接続し、第３のコイル導体１３と第４のコイル導体１４との間に第６のコイル導体２２を接続し、そして、第２の金属層２１と第１、第３の金属層２０、２３とを積層方向に対向させ、第２の金属層２１をグランドに接続し、第１のコモンモードフィルタ１７と第２のコモンモードフィルタ１８との間に、積層方向に第１、第２のローパスフィルタ部１５、１６を配置している。
【００１８】
上記構成において、前記第１〜第４のコイル導体１１〜１４は、積層体１０の内部において、それぞれ銀等の導電材料を渦巻状にめっきまたは印刷することにより形成されている。そして、第１のコイル導体１１は、第１の絶縁体層２４ａの上面に形成され、第２のコイル導体１２は、第６の絶縁体層２４ｆの上面に形成され、第３のコイル導体１３は、第２の絶縁体層２４ｂの上面に形成され、第４のコイル導体１４は、第７の絶縁体層２４ｇの上面に形成されている。したがって、第１のコイル導体１１と第３のコイル導体１３は、第２の絶縁体層２４ｂを介して対向することになり、これにより、互いに磁気結合する第１のコモンモードフィルタ１７が構成される。同様に、第２のコイル導体１２と第４のコイル導体１４は、第７の絶縁体層２４ｇを介して対向し、これにより、互いに磁気結合する第２のコモンモードフィルタ１８が構成される。なお、第１〜第４のコイル導体１１〜１４の渦巻きの中心部に磁性材料からなる磁性体部（図示せず）を設けてもよい。
【００１９】
さらに、前記第１〜第４のコイル導体１１〜１４の一端部１１ａ〜１４ａは、それぞれ積層体１０の側部に設けられた第１〜第４の外部電極２５〜２８と接続されている。
【００２０】
また、第１のコイル導体１１の他端部１１ｂと、第２のコイル導体１２の他端部１２ｂは、第１のローパスフィルタ部１５を介して接続されている。そしてまた、第３のコイル導体１３の他端部１３ｂと、第４のコイル導体１４の他端部１４ｂは、第２のローパスフィルタ部１６を介して接続されている。
【００２１】
ここで、前記第１のローパスフィルタ部１５は、第５の絶縁体層２４ｅの上面に設けられた渦巻状の第５のコイル導体１９および第１の金属層２０と、第４の絶縁体層２４ｄの上面に設けられた第２の金属層２１とで構成されている。さらに、前記第２のローパスフィルタ部１６は、第３の絶縁体層２４ｃの上面に設けられた渦巻状の第６のコイル導体２２および第３の金属層２３と、第４の絶縁体層２４ｄの上面に設けられた第２の金属層２１とで構成されている。すなわち、第２の金属層２１は、第１のローパスフィルタ部１５と第２のローパスフィルタ部１６の共通した構成物となっている。なお、第１のローパスフィルタ部１５と第２のローパスフィルタ部１６それぞれに別個の第２の金属層２１を形成してもよいが、共通した構成物とした方が薄型化できる。そして、第２の金属層２１は積層体１０の端部に形成された第５、第６の外部電極２９、３０と接続され、また、この第５、第６の外部電極２９、３０はグランドと接続される。
【００２２】
さらに、第１のローパスフィルタ部１５において、第１のコイル導体１１の他端部１１ｂが、第２〜第５の絶縁体層２４ｂ〜２４ｅに形成された第１のビア３１ａと、第４の絶縁体層２４ｄに形成された導体３２を介して第１の金属層２０と接続されている。そして、第１の金属層２０は第５のコイル導体１９と接続し、さらに第５のコイル導体１９は他の第１の金属層２０ａと接続し、この他の第１の金属層２０ａは第６の絶縁体層２４ｆに形成された第１のビア３１ａを介して第２のコイル導体１２の他端部１２ｂと接続する。また、これらの第１の金属層２０は第５の絶縁体層２４ｅを介して第２の金属層２１と対向し、両者でキャパシタを構成する。
【００２３】
そしてさらに、第２のローパスフィルタ部１６において、第３のコイル導体１３の他端部１３ｂが、第３、第４の絶縁体層２４ｃ、２４ｄに形成された第２のビア３３ａと、第４の絶縁体層２４ｄに形成された導体３４を介して第３の金属層２３と接続されている。そして、第３の金属層２３は第６のコイル導体２２と接続し、さらに第６のコイル導体２２は他の第３の金属層２３ａと接続し、この第３の金属層２３ａは第４〜第７の絶縁体層２４ｄ〜２４ｇに形成された第２のビア３３ａを介して第４のコイル導体１４の他端部１４ｂと接続する。また、これらの第３の金属層２３は第４の絶縁体層２４ｄを介して第２の金属層２１と対向し、両者でキャパシタを構成する。
【００２４】
なお、前記第１〜第３の金属層２０、２１、２３は、各絶縁体層の所定箇所に銀を印刷、めっき等する、あるいは金属板、金属箔を貼り付けることにより形成する。さらに、この第１〜第３の金属層２０、２１、２３は、第１、第２のローパスフィルタ部１５、１６を構成することと、第１のコモンモードフィルタ１７と第２のコモンモードフィルタ１８とが磁気結合するのを防ぐことの両方の機能を有しており、これにより、小型化、薄型化が可能になる。また、第１〜第３の金属層２０、２１、２３は第１、第２のビア３１ａ、３３ａ、導体３２、３４と同一絶縁体層において電気的に接続されないようになっている。さらに、第１、第２のビア３１ａ、３３ａは、絶縁体層の所定の位置に、レーザで孔あけ加工をし、この孔に銀を充填して形成する。そしてまた、導体３２、３４を第２の金属層２１と同一絶縁体層２４ｄに形成しているため、製品をより薄くすることができる。
【００２５】
そして、第１〜第８の絶縁体層２４ａ〜２４ｈは、シート状に構成され、第１の絶縁体層２４ａ、第８の絶縁体層２４ｈは、Ｎｉ−Ｃｕ−Ｚｎフェライト等の磁性材料で形成され、他の絶縁体層は、Ｃｕ−Ｚｎ等の非磁性材料により形成されている。そして、第１〜第８の絶縁体層２４ａ〜２４ｈの枚数は、図１に示された枚数に限定されるものではなく、さらに、第１のコイル導体１１と第１の絶縁体層２４ａの間、第４のコイル導体１４と第８の絶縁体層２４ｈの間に、非磁性材料からなる別の絶縁体層を形成してもよい。
【００２６】
上記した構成により、積層体１０が形成される。また、この積層体１０の両端部には、積層体１０の焼成後において、上述した第１〜第６の外部電極２５〜３０が設けられている。さらに、前記第１〜第６の外部電極２５〜３０は、積層体１０の表面に銀を印刷することにより形成され、またこれらの表面にめっきによってニッケルめっき層を形成するとともに、このニッケルめっき層の表面にめっきによってすずやはんだ等の低融点金属めっき層を形成する。
【００２７】
ここで、図３に、本発明の実施の形態１におけるコモンモードノイズフィルタの等価回路図を示す。
【００２８】
また、図４は、本発明の実施の形態１におけるコモンモードノイズフィルタの回路ブロック構成およびコモンモードフィルタ部の浮遊容量を示す模式図、図５は、同コモンモードノイズフィルタの回路ブロック構成のみを抽出したコモンモードインピーダンスと本発明のコモンモードフィルタ全体のリアクタンスの周波数特性を比較した図である。なお、図４では、第１、第２のコモンモードフィルタ１７、１８は、ほぼ同じコイル構成で同じ周波数を示すように設計されている。
【００２９】
図４、図５において、第１のコモンモードフィルタ１７を示すＡ部のみのコモンモードインピーダンスのリアクタンス特性は、１ＧＨｚ近辺で浮遊容量による並列共振が発生する。また、同様にＢ部の一部分である第２のコモンモードフィルタ１８も同様のリアクタンス特性を示す。しかしながら、第１、第２のローパスフィルタ部１５、１６を第２のコモンモードフィルタ１８に接続したＢ部のリアクタンス特性を、Ｍ点からみると、約２４０ＭＨｚ近辺の低周波領域で並列共振点が発生する。これは、第２のコモンモードフィルタ１８のリアクタンス特性が第１、第２のローパスフィルタ部１５、１６により位相が回っているためＭ点から見ると共振周波数が低周波側で見られるようになり、共振後はいったんリアクタンスが負になる特性を示す。したがって、Ａ部とＢ部のリアクタンスを加算した本発明のコモンモードフィルタ全体のリアクタンス特性は、Ｂ部の並列共振周波数より高い周波数領域で、直列共振をすることになり、その直列共振周波数付近ではインピーダンスが低下し、コモンモードの減衰量が抑制されることになる。
【００３０】
このとき、第１、第２のローパスフィルタ部１５、１６において、第５、第６のコイル導体１９、２２のＬ値や、第１の金属層２０と第２の金属層２１間のＣ値、第３の金属層２３と第２の金属層２１間のＣ値を調整することで位相を調整し、Ｍ点におけるインピーダンスを調整する。
【００３１】
そして、図５において、図４のＢ部は１ＧＨｚ超までリアクタンスが負の状態であり、容量素子として働いていることを示している。つまり、本発明のコモンモードフィルタ全体のリアクタンス特性において、直列共振後の高周波領域においては、第１、第２のローパスフィルタ部１５、１６が位相調整機能を有しているため、第１、第２のローパスフィルタ部１５、１６と第２のコモンモードフィルタ１８が容量性素子（Ｃ）として動作し、第１のコモンモードフィルタ１７がインダクタ性素子（Ｌ）として動作するため、コモンモードに対して、等価的に２段のＬＣフィルタのように動作し、これにより、急激なコモンモードの減衰特性が得られる効果を示している。
【００３２】
図６は、本発明の実施の形態１におけるコモンモードノイズフィルタのコモンモード減衰特性を従来のコモンモードノイズフィルタのコモンモード減衰特性と比較した図、図７は、本発明の実施の形態１におけるコモンモードノイズフィルタと従来のコモンモードノイズフィルタにおけるコモンモードでのスミスチャートを示したものである。なお、図７は１ＭＨｚ〜６ＧＨｚの周波数について示している。
【００３３】
図６において、従来のコモンモードノイズ減衰量より本発明のコモンモードノイズ減衰量が小さい周波数領域は、図７における破線に相当し、第１のローパスフィルタ部１５、第２のローパスフィルタ部１６によって低周波領域でコモンモード信号の減衰特性が抑制されていることが分かる。これは、図７において破線の領域では本発明のコモンモードノイズフィルタが直列共振しインピーダンスが低下していることを示している。また、直列共振後は、周波数の増加と共にインピーダンスが大きくなりコモンモード減衰量が大きくなり、インピーダンスが最大になった後も、等価的に容量素子として働く図４のＢ部により、大きな容量性の反射特性を示していることが図７より分かる。つまり、本発明のコモンモードフィルタは高周波領域においては、前述のように等価的に２段のＬＣフィルタのように動作し、これにより、急激なコモンモードの減衰特性が得られる効果を示している。これは、図７に示されたインダクタ素子としてのみ働く従来のコモンモードフィルタのコモンモードインピーダンスのスミスチャート上の軌跡との差が図６のコモンモード減衰量との差となって現れていることを示している。
【００３４】
上記した本発明の実施の形態１におけるコモンモードノイズフィルタにおいては、第１のローパスフィルタ部１５と第２のローパスフィルタ部１６を、第１のコモンモードフィルタ１７、第２のコモンモードフィルタ１８と直列に接続しているため、第１、第２のローパスフィルタ部１５、１６に位相調整をすることによって、その合成リアクタンスがコモンモードに対して直列共振をする周波数領域を調整でき、これにより、その低周波領域においてはコモンモードに対して低インピーダンスとなり、さらに、高周波領域においては、第１、第２のローパスフィルタ部１５、１６が位相調整機能を有しているため、第１、第２のローパスフィルタ部１５、１６と第２のコモンモードフィルタ１８が容量性素子（Ｃ）として動作する周波数領域を調整でき、これにより、第１のコモンモードフィルタ１７がインダクタ性素子（Ｌ）として動作するため、高周波領域ではコモンモードに対して、等価的に２段のＬＣフィルタのように動作し、これにより、急激なコモンモードの減衰特性が得られ、この結果、コモンモードに対して低周波領域においては減衰特性を抑制し、かつ高周波領域においてはコモンモード信号の減衰量を確保することができるという効果が得られるものである。
【００３５】
さらに、第１のコモンモードフィルタ１７と第２のコモンモードフィルタ１８との間に、積層方向に第１、第２のローパスフィルタ部１５、１６を配置しているため、第１、第２のローパスフィルタ部１５、１６における第１〜第３の金属層２０、２１、２３によって、第１のコモンモードフィルタ１７と第２のコモンモードフィルタ１８とが磁気結合するのを防ぐことができ、これにより、この磁気結合によって位相調整をしている第１、第２のローパスフィルタ部１５、１６を介さず第１のコモンモードフィルタ１７と第２のコモンモードフィルタ１８が直接、磁気的に接続されてしまい、所望の効果がでないという不具合を解消できる。
【００３６】
また、第１のコモンモードフィルタ１７と第２のコモンモードフィルタ１８を積層方向に配置しているため、小型化が可能になる。
【００３７】
（実施の形態２）
以下、実施の形態２を用いて、本発明の特に請求項２、３に記載の発明について説明する。
【００３８】
図８は本発明の実施の形態２におけるコモンモードノイズフィルタの分解斜視図である。なお、この本発明の実施の形態２においては、上記した本発明の実施の形態１と同様の構成を有するものについては、同一符号を付しており、その説明は省略する。
【００３９】
本発明の実施の形態２が上記した本発明の実施の形態１と相違する点は、図８に示すように、第５のコイル導体１９と第６のコイル導体２２を同一絶縁体層上に形成するとともに、第１コモンモードフィルタ１７、第２のコモンモードフィルタ１８と第５のコイル導体１９、第６のコイル導体２２との間に、第１〜第３の金属層２０、２１、２３を配置した点である。
【００４０】
このとき、図８のように別の非磁性材料からなる絶縁体層２４ｉ、２４ｊを用意し、また、第３の絶縁体層２４ｃの上面と、絶縁体層２４ｊの上面に、第１の金属層２０と第３の金属層２３の両方を設ける。そして、第１の金属層２０、第３の金属層２３と、第５のコイル導体１９、第６のコイル導体２２との間に、第２の金属層２１を配置する。
【００４１】
この構成により、第１、第２のコモンモードフィルタ１７、１８と第５のコイル導体１９、第６のコイル導体２２との間で磁気結合するのを防ぐことができるため、第１、第２のローパスフィルタ部１５、１６を第１、第２のコモンモードフィルタ１７、１８と独立して特性調整できる。
【００４２】
また、本実施の形態においても、実施の形態１と同様に、第１のローパスフィルタ部１５、第２のローパスフィルタ部１６における低周波領域のインピーダンスが下がり、この結果、低周波領域でコモンモード信号の減衰特性を抑制し（低下させ）、かつ高周波領域では２つのコモンモードフィルタ１７、１８によってコモンモード信号の減衰量を確保することができる。
【００４３】
なお、図９に示すように、第５のコイル導体１９と第６のコイル導体２２との間に第２の金属層２１を配置してもよい。この構成によれば、第５のコイル導体１９と第６のコイル導体２２との間で磁気結合するのを防ぐことができるため、第５のコイル導体１９、第６のコイル導体２２が互いに影響を受けることなく、第５、第６のコイル導体１９、２２のＬ値等の調整が可能となる。
【００４４】
また、上記した本発明の実施の形態１、２におけるコモンモードノイズフィルタにおいては、第５、第６のコイル導体１９、２２を１層の渦巻状としたが、蛇行状としてもよく、さらに複数層としてもよい。
【００４５】
さらに、第１、第２のローパスフィルタ部１５、１６は、コンデンサを必ずしも含む必要はなく、例えば、グランド電極に対向した渦巻状あるいは蛇行状のインダクタ素子と、そのインダクタ素子とグランド電極との間に発生する容量で分布定数型の位相線路を構成してもよい。
【００４６】
そして、第１、第２のコモンモードフィルタ１７、１８は同じ周波数特性をもつ構成としたが、異なる周波数特性を有していてもよい。
【産業上の利用可能性】
【００４７】
本発明に係るコモンモードノイズフィルタは、低周波領域でコモンモード信号の減衰特性を抑制し、かつ高周波領域でコモンモード信号の減衰量を確保することができるという効果を有するものであり、特にデジタル機器やＡＶ機器、情報通信端末等の各種電子機器のノイズ対策として使用されるコモンモードノイズフィルタ等において有用となるものである。
【符号の説明】
【００４８】
１０  積層体
１１  第１のコイル導体
１２  第２のコイル導体
１３  第３のコイル導体
１４  第４のコイル導体
１５  第１のローパスフィルタ部
１６  第２のローパスフィルタ部
１７  第１のコモンモードフィルタ
１８  第２のコモンモードフィルタ
１９  第５のコイル導体
２０  第１の金属層
２１  第２の金属層
２２  第６のコイル導体
２３  第３の金属層
【図１】
2014175825.tif 000003
【図２】
2014175825.tif 000004
【図３】
2014175825.tif 000005
【図４】
2014175825.tif 000006
【図５】
2014175825.tif 000007
【図６】
2014175825.tif 000008
【図７】
2014175825.tif 000009
【図８】
2014175825.tif 000010
【図９】
2014175825.tif 000011
【図１０】
2014175825.tif 000012